(57)【要約】【課題】圧縮機の各相巻線からユニットの設置端を介して、アースに流入する漏れ電流を高い圧縮機能力で駆動および如何なる圧縮機駆動装置による回転制御で運転しても、ノイズ対策や漏れ電流を考慮した電気品の構成が簡易化され、低次および高次高調波の周波数成分を抑制させ、漏れ電流の絶対量を１ｍＡ以下に低減できるようにする。【解決手段】圧縮機の各相巻線からユニットの設置端を介して、アースに流入する漏れ電流を予め測定した基準絶対量と圧縮機回転数と漏れ電流の条件設定手段に応じて、マイコンで演算と補正を掛けた最適ＰＷＭ制御のデューティを偏差テーブルから選定し、プッシュプル回路を駆動することで、低コスト化および回路構成を簡易化させ、低次および高次高調波の周波数成分を抑制させ、漏れ電流の絶対量を１ｍＡ以下に低減することが可能となる。【選択図】  図１
2004364344.tif 000002
【特許請求の範囲】
【請求項１】
圧縮機駆動装置から圧縮機の各相巻線と大地アース間に生ずる浮遊容量成分によって、流出入する漏れ電流低減の制御において、交流電源と整流回路の間に、挿接されたノイズ低減用のコモンチョークコイルを、漏れ電流の検出手段として使用せずに（オープンループ制御）、予め測定から漏れ成分の絶対量を検出しておく。この基準絶対量と、交流電源の高電位の位置より、漏れ増減のレベル（ゼロクロス点）を決める位相検出手段を介して、圧縮機駆動用の制御手段（マイコン）から、漏れ低減の駆動手段（例えば、Ａ級プッシュプル回路）を圧縮機駆動のスイッチング時に発生する瞬時電流から、基準量の条件設定値および補正を掛けた信号で、スイッチのタイミングに合わせた漏れ低減駆動を行うと、圧縮機を搭載した空気調和機と冷凍サイクル装置（例えば、冷蔵庫）および給湯機を高い圧縮機の能力および如何なる圧縮機駆動制御で運転しても、アース流入の漏れ電流が低減できることを特徴とする漏れ電流キャンセラ回路。
【請求項２】
請求項１の漏れ電流キャンセラ回路において、交流電源と整流回路の間に、挿接されたノイズ低減用のコモンチョークコイルを、漏れ電流の検出手段として備え（従来の閉ループ制御）、予め測定から漏れの絶対量を検出し、この基準絶対量と電流検出手段による電流の偏差値に応じて、漏れ増減のレベルを決める位相検出手段を介して、圧縮機駆動用の制御手段から、漏れ低減の駆動手段を圧縮機駆動のスイッチングに合わせてＰＷＭ制御することで、圧縮機を搭載した空気調和機と冷凍サイクル装置（例えば、冷蔵庫）および給湯機を高い圧縮機の能力および如何なる圧縮機駆動制御で運転しても、低次および高次高調波の周波成分を含んだアース流入の漏れ電流が低減することを特徴とする漏れ電流キャンセラ回路。
【請求項３】
請求項１の漏れ電流キャンセラ回路において、予め測定した漏れ電流の基準絶対量と漏れ電流の検出手段（閉ループ制御）の偏差と圧縮機実回転数に応じて、ＰＷＭ制御の最適なデューティによる偏差テーブルを引き、漏れ増減のレベルを決める位相検出手段を介して、圧縮機駆動用の制御手段によって、偏差テーブルから圧縮機駆動のスイッチングに合わせた漏れ低減の駆動手段をＰＷＭ制御することで、圧縮機を搭載した空気調和機と冷凍サイクル装置（例えば、冷蔵庫）および給湯機を高い圧縮機の能力および如何なる圧縮機駆動制御で運転しても、高次高調波および低次高調波成分を含んだアース流入の漏れ電流を効果的に低減することを特徴とする漏れ電流キャンセラ回路。
【請求項４】
請求項１の漏れ電流キャンセラ回路において、ノイズの少ない圧縮機駆動装置を備えた空気調和機と冷凍サイクル装置（例えば、冷蔵庫）および給湯機には、漏れ電流の検出手段として挿接されたコモンチョークコイルで電流検出しないオープンループ制御で、漏れ増減のレベルを決める位相検出手段と圧縮機実回転数と漏れ電流の条件設定値（閉ループ制御で予め得られた瞬時電流の時間幅、ディレイ時間、勾配、補正量を例えばＥＥＰＲＯＭで対応）に応じた最適デューティにて圧縮機駆動用の制御手段から与えられたＰＷＭ制御信号で、漏れ低減の駆動手段として用いるスイッチをＯＮ／ＯＦＦすることにより、アース流入の漏れ電流が低減できることを特徴とする漏れ電流キャンセラ回路。
【発明の詳細な説明】
【０００１】
【発明の属する技術分野】
本発明は、圧縮機負荷の能力に応じず、圧縮機駆動装置のスイッチングによって、圧縮機の各相巻線から浮遊容量として、アースへと流入する漏れ電流に関し、圧縮機駆動の制御手段から与えられた信号で漏れ低減の駆動手段を制御すると、漏れ検出用のコモンチョークコイルを用いずオープンループ制御が行えて、漏れ電流や雑音ノイズ対策用の電気回路が簡易化できる。
【０００２】
【従来の技術】
交流電源の電圧を直流電圧に整流するための整流回路を介し、この直流電圧を半導体素子でＯＮ／ＯＦＦさせるタイミングを変えることで、直流電圧の増減および周波数を変換した出力が圧縮機駆動電力として圧縮機に供給される。
【０００３】
圧縮機のケースは安全のためユニット（空気調和機、冷凍サイクル装置（例えば、冷蔵庫）および給湯機）の接地端を介して大地アースに接続される。圧縮機の各相巻線と大地アース間には浮遊容量成分が発生し、圧縮機駆動装置の半導体素子でＯＮ／ＯＦＦさせたスイッチング周波数成分が、圧縮機の各相巻線からケース間の浮遊容量成分を通してユニットの接地端を介し、大地アースへと漏れ電流として流出入する。
【０００４】
この流出入する漏れ電流成分は、交流電源のアース接地端を通り、ラインノイズとして高周波成分が圧縮機駆動装置に重畳することで圧縮機の信頼性や騒音問題、また家電製品やブレーカ等の誤作動となり、さらに漏れ電流に含有されている低次および高次高調波の周波成分に関し、漏れ電流の低減方法による対策が検討されている。
【０００５】
低次および高次高調波の周波数成分を有する漏れ電流を低減するために、コモンコイルを交流電源と整流回路間または整流回路と圧縮機駆動装置間に挿接して、圧縮機駆動装置の半導体素子をスイッチでＯＮ／ＯＦＦさせるタイミングや圧縮機の性能に応じて、大きなラインフィルタや補償回路を設けて低減効果を得てきたが、圧縮機負荷の能力に応じて漏れ電流や雑音ノイズ低減を考慮した電気品は、設置スペースやコスト上昇等の問題を有していた。
【０００６】
例として、従来この種の圧縮機駆動装置を備えた空気調和機、冷凍サイクル装置（例えば、冷蔵庫）は特開平１０−４２５８５号公報に示すようなものがある。スイッチング周波数が高い場合でも、高周波漏れ電流を低減し、これにより圧縮機能力を高めることができて、十分な空調能力を得られる冷凍サイクル装置のインバータ装置を提供している。
【０００７】
すなわち、圧縮機モータの相巻線からアースへと流れる零相電流を検出し、検出した零相電流に相似する波形の電流を作成し、その作成した電流によって圧縮機モータからの高周波漏れ電流を強制的に打消す制御である。
【０００８】
【特許文献１】
特開平１０−４２５８５号公報
【０００９】
【発明が解決しようとする課題】
従来技術では高周波漏れ電流を低減させるために、Ａ級プッシュプル回路構成を備えることで、アース流入の低減を図っていたが、高周波成分をトランジスタ（ＮＰＮ，ＰＮＰ）によって、高周波スイッチングさせるとスイッチのＯＮ／ＯＦＦ時のバラツキと圧縮機負荷に応じて、漏れ電流値が不安定に振れるという不具合が生じるため、そのために補償回路が別途必要とされなければ、確実に漏れ電流を低減させられない等の課題を有していた。
【００１０】
そこで、本発明は上述の点を考慮して、アースに流入する漏れ電流が圧縮機を備えた空気調和機や冷凍サイクル装置（例えば、冷蔵庫）および給湯機において、高い圧縮機能力で駆動し、且つ如何なる圧縮機駆動制御で運転しても、マイコンから圧縮機駆動のＰＷＭ制御信号で駆動した際に生じる瞬時電流（漏れ電流）を打ち消すために、圧縮機駆動の制御信号と同じタイミングで漏れ低減駆動の手段であるプッシュプル回路を最適デューティからなるＰＷＭ制御信号で駆動することにより、漏れ低減の高周波スイッチングでの打ち消し電流のバラツキを抑え、熱損失や漏れ電流の補償回路を必要としない為、漏れ電流と雑音ノイズ対策を考慮した電気回路が簡素化される。また人体に影響を及ぼす低次および高次高調波の周波数成分も低減されて、漏れ電流量も（ＪＩＳ  Ｃ  ９２１９：１９９３）１ｍＡ以下となるための制御手段を用いた漏れ電流キャンセラ回路を提供することを目的とする。
【００１１】
【課題を解決するための手段】
上記課題を解決するため、請求項１にかかる発明は、圧縮機の各相巻線と大地アース間に生ずる浮遊容量成分によって流れる漏れ電流成分を、圧縮機駆動装置と圧縮機回転数検出手段と圧縮機と圧縮機駆動の制御手段と漏れ低減の駆動手段で構成された漏れ電流キャンセラ回路において、漏れ電流の検出手段を用いないオープンループ制御として、漏れ増減のレベル（ゼロクロス点）を決める位相検出手段と予め測定した漏れの基準絶対量から、圧縮機駆動の制御手段（マイコン）を介して、圧縮機駆動と同じタイミングで発生する漏れ瞬時電流を打ち消すように、圧縮機駆動の制御手段で、基準量の条件設定及び補正を掛けた信号で漏れ低減の駆動手段をＰＷＭ制御すると、圧縮機を搭載した空気調和機と冷凍サイクル装置（例えば、冷蔵庫）および給湯機を高い圧縮機の能力および如何なる圧縮機駆動制御で運転しても、アース流入の漏れ電流を低減するための手段を設けたものである。
【００１２】
請求項２にかかる発明は、交流電源と整流回路の間に挿接されたコモンコイルを漏れ検出手段として備えた閉ループ制御において、予め測定した基準絶対量と電流検出手段による偏差値に応じて、漏れ増減のレベルを決める位相検出手段から、漏れ低減の駆動手段を圧縮機駆動のスイッチングのタイミングに合わせて、圧縮機駆動の制御手段から与えられた信号でＰＷＭ制御すると、圧縮機を搭載した空気調和機と冷凍サイクル装置（例えば、冷蔵庫）および給湯機を高い圧縮機の能力および如何なる圧縮機駆動制御で運転しても、アース流出入の漏れ電流には、低次および高次高調波の周波数成分が低減できる手段を設けたものである。
【００１３】
請求項３にかかる発明は、漏れの電流検出手段を用いる閉ループ制御において、予め測定した基準絶対量と漏れ電流の検出手段と圧縮機実回転数と漏れ増減レベルを決める位相検出手段に応じて偏差テーブルを引き、漏れ低減の駆動手段を圧縮機駆動の制御手段によって、最適デューティ選定によるＰＷＭ制御をすると、圧縮機を搭載した空気調和機と冷凍サイクル装置（例えば、冷蔵庫）および給湯機を高い圧縮機の能力および如何なる圧縮機駆動制御で運転しても、アース流入の漏れ電流を効果的に低減できる手段を設けたものである。
【００１４】
請求項４にかかる発明は、ノイズの少ない圧縮機駆動装置を備えた空気調和機と冷凍サイクル装置および給湯機において、漏れ検出しないオープンループ制御で、圧縮機実回転数と漏れ増減のレベルを決める位相検出手段と漏れ電流の条件設定値（閉ループ制御で予め得られた瞬時電流の時間幅、ディレイ時間、勾配、補正量を例えばＥＥＰＲＯＭで対応）から、最適なデューティの偏差テーブルを用い、圧縮機駆動用の制御手段から与えられたＰＷＭ制御信号で、漏れ低減の駆動手段として用いるスイッチをＯＮ／ＯＦＦすることにより、アース流入の漏れ電流を低減できる手段を設けたものである。
【００１５】
【発明の実施の形態】
本発明は各請求項に記載の形態で実施できるものであり、請求項１のように、圧縮機駆動装置から圧縮機の各相巻線と大地アース間に生ずる浮遊容量成分によって流れる漏れ電流成分を、前記圧縮機駆動装置１と圧縮機回転数検出手段２と圧縮機３、漏れ低減の駆動手段５で構成された前記漏れ電流キャンセラ回路９のおいて、漏れ検出を用いないオープンループ制御で、前記漏れ増減のレベルを決める位相検出手段６と予め測定した漏れの基準絶対量７から前記圧縮機駆動の制御手段８を介して、前記漏れ低減の駆動手段（ＮＰＮ，ＰＮＰトランジスタ）を高周波（ＰＷＭ制御）スイッチングすると、漏れ低減の打ち消し電流のバラツキを抑え、またスイッチングの熱損失から漏れ電流の補償回路を設けること無く、圧縮機を搭載した空気調和機と冷凍サイクル装置（例えば、冷蔵庫）および給湯機を高い圧縮機の能力および如何なる圧縮機駆動制御で運転しても、アース流入の漏れ電流を低減する効果がある。
【００１６】
また、請求項２記載のように、漏れ電流キャンセラ回路９は、前記交流電源と整流回路の間に挿接されたコモンコイルを漏れ検出手段４として備え（閉ループ制御）、予め測定した基準絶対量７と電流検出手段による偏差値に応じて、前記漏れ増減のレベルを決める位相検出手段６から、前記圧縮機駆動の制御手段８を介して、圧縮機駆動と同じタイミングで瞬時値の漏れ電流を打ち消す用に漏れ低減の駆動手段５をＰＷＭ制御でスイッチのＯＮ／ＯＦＦすると、圧縮機を搭載した空気調和機と冷凍サイクル装置（例えば、冷蔵庫）および給湯機を高い圧縮機の能力および如何なる圧縮機駆動制御で運転しても、アース流入における低次および高次高調波の周波数成分が含有された漏れ電流量も（ＪＩＳ  Ｃ  ９２１９：１９９３）１ｍＡ以下とする効果がある。
【００１７】
また、請求項３記載のように、漏れ電流キャンセラ回路９は、前記予め測定した基準絶対量７と漏れの電流検出手段４（閉ループ制御）による偏差値と圧縮機回転数手段２に応じて、前記漏れ増減のレベルを決める位相検出手段６から、前記圧縮機駆動の制御手段８で引かれた偏差テーブルを介して、圧縮機駆動と同じタイミングで直接に前記漏れ低減の駆動手段５を最適デューティ選定によるＰＷＭ制御することで、圧縮機を搭載した空気調和機と冷凍サイクル装置（例えば、冷蔵庫）および給湯機を高い圧縮機の能力および如何なる圧縮機駆動制御で運転しても、アース流入の漏れ電流量も（ＪＩＳ  Ｃ  ９２１９：１９９３）１ｍＡ以下で圧縮機駆動装置への雑音ノイズおよび騒音レベルを効果的に低減できる。
【００１８】
また、請求項４記載のように、漏れ電流キャンセラ回路９は、ノイズの少ない前記圧縮機駆動装置を備えた空気調和機と冷凍サイクル装置および給湯機において、高い圧縮機能力で駆動しても、圧縮機の回転数検出手段２と前記漏れ増減のレベルを決める位相検出手段６と漏れ電流の条件設定手段１０から、前記圧縮機駆動の制御手段８で引かれた偏差テーブルを介して、前記漏れ低減の駆動手段５を最適なデューティ選定によるＰＷＭ制御をすることで、コモンコイルからの漏れ電流の検出手段４と高周波スイッチングによる打ち消し電流のバラツキ低減と熱損失補償回路を用いること無く、前記アース流入の漏れ電流を抑制するため、圧縮機を搭載した空気調和機と冷凍サイクル装置（例えば、冷蔵庫）および給湯機の交流電源側のフィルタ回路および圧縮機駆動装置の低コスト化や回路構成が簡易化する効果がある。
【００１９】
以下、本発明の実施例について図面を用いて説明する。
【００２０】
図１は、本発明の第１実施の形態に係る圧縮機を搭載した空気調和機と冷凍サイクル装置（例えば、冷蔵庫）および給湯機の電気回路の全体構成に設置された漏れ電流キャンセラ回路（漏れ電流を検出手段としないオープンループ制御と圧縮機の回転数検出手段を備えない構成）を示し、図２に同図１のキャンセラ回路の漏れ低減による制御パターンを示す。
【００２１】
同図１において、請求項１にかかる発明の漏れ電流キャンセラ回路９は、予め測定した漏れ電流の基準絶対量７応じて、漏れ増減を判別するゼロ電圧の位相検出手段６から、圧縮機駆動の制御手段８（マイコン）で漏れ低減の駆動手段５（プッシュプル回路）を交流電圧の正と負の半周期ずつに分けてＮＰＮ、ＰＮＰトランジスタを図２のスイッチングパターンによるＰＷＭ制御をすると、圧縮機からユニット設置端の漏れ電流は、トランジスタのエミッタ側の抵抗と２重絶縁で且つ直流分除去用のコンデンサを介して、アースに流入させることにより、コモンコイルからの漏れ電流の検出手段４を検出として用いず、またプッシュプル回路のＮＰＮ、ＰＮＰトランジスタに、高周波スイッチングによる打ち消し電流のバラツキ低減と熱損失補償回路を備えることなく漏れ電流を抑制できる。
【００２２】
図３は、本発明の第２実施の形態に係る圧縮機を搭載した空気調和機と冷凍サイクル装置（例えば、冷蔵庫）および給湯機の電気回路の全体構成に設置された漏れ電流キャンセラ回路（漏れ電流の検出手段を備えた閉ループ制御、圧縮機の回転数検出手段は備えていない構成）を示す。
【００２３】
同図３において、請求項２にかかる発明の漏れ電流キャンセラ回路９は、交流電源と整流回路の間に挿接されたコモンコイルからの漏れ検出手段４による電流に応じたＩ０電流制限値を算出する。算出された制限値から予め測定した漏れ電流の基準絶対量７との電流偏差ΔＩ０から漏れ電流の過電流制御レベルを作成し、ＰＷＭ制御のデューティを選定したテーブルを図４に示す。また、図５は、第２実施の圧縮機回転数に対するアース流入の漏れ電流特性である。
【００２４】
同図５において、圧縮機回転数における漏れ電流の基準値を０．５［ｍＡ］、制限値上限を１．０［ｍＡ］で制限値下限を０．１［ｍＡ］とする。例えば、圧縮機回転数が４０００［ｍｉｎ−１］の時、漏れ電流の基準値とコモンコイルから検出した漏れ電流との偏差ΔＩ０は制限値上限の１．０［ｍＡ］を超えているため、同図４のテーブルからレベル０が選択され、ＰＷＭ制御のデューティは１００％となり、漏れ増減を判別するゼロ電圧の位相検出手段６から、圧縮機駆動の制御手段８（マイコン）でプッシュプル回路のＮＰＮ、ＰＮＰトランジスタをＯＮ／ＯＦＦすることにより、圧縮機からユニット設置端の漏れ電流は、トランジスタのエミッタ側の抵抗と直流分除去用のコンデンサを介して、人体に影響を及ぼす低次および高次高調波が含有された電流量は、キャンセル前よりも低減される。
【００２５】
図６は、本発明の第３実施の形態に係る圧縮機を搭載した空気調和機と冷凍サイクル装置（例えば、冷蔵庫）および給湯機の電気回路の全体構成に設置された漏れ電流キャンセラ回路（漏れ電流の検出手段（閉ループ制御）と圧縮機の回転数検出手段を備える構成）を示す。
【００２６】
同図６において、請求項３にかかる発明の漏れ電流キャンセラ回路９は、交流電源と整流回路の間に挿接されたコモンコイルからの漏れ検出手段４による電流と高いサンプリング時間を有した圧縮機の回転数検出手段から検出した実回転数に応じたＩ０電流制限値を算出する。算出された制限値から予め測定した漏れ電流の基準絶対量７との電流偏差ΔＩ０と指令回転数Ｎ＊と実回転数Ｎにおける回転数偏差ΔＮから、漏れ電流の過電流制御レベルを作成することで図７に示すような最適ＰＷＭ制御のデューティを選定し、ゼロ電圧検出を介してプッシュプル回路のＮＰＮ、ＰＮＰトランジスタをＯＮ／ＯＦＦすることにより、圧縮機からユニット設置端の漏れ電流は、トランジスタのエミッタ側の抵抗と直流分除去用のコンデンサを介して、アース流入の漏れ電流が圧縮機回転数の急な変化量に関係なく、また圧縮機駆動装置への雑音ノイズや振動・騒音を低減させ、効果的に漏れ電流を１ｍＡ以下にできる。
【００２７】
図８は、本発明の第４実施の形態に係るノイズの少ない圧縮機を搭載した空気調和機と冷凍サイクル装置（例えば、冷蔵庫）および給湯機の電気回路の全体構成に設置された漏れ電流キャンセラ回路（漏れ電流の検出手段は備えず、圧縮機の回転数検出手段を備える構成）を示す。
【００２８】
同図８において、請求項４にかかる発明の漏れ電流キャンセラ回路９は、請求項３にかかる発明の図７に示された最適ＰＷＭ制御のデューティ選定と漏れ電流条件設定値（閉ループ制御で予め得られた瞬時電流の時間幅、ディレイ時間、勾配、補正量を例えばＥＥＰＲＯＭで対応）を用いることで、漏れ検出を用いずにマイコンのみでオープンループ制御して、高いサンプリング時間を有した圧縮機の回転数検出手段から検出した実回転数に応じたＩ０電流制限値を同図７よりマイコンで選定することで、最適ＰＷＭ制御のデューティを選定し、ゼロ電圧検出を介してプッシュプル回路のＮＰＮ、ＰＮＰトランジスタをＯＮ／ＯＦＦすることにより、圧縮機からユニット設置端の漏れ電流は、トランジスタのエミッタ側の抵抗と直流分除去用のコンデンサを介して、漏れ電流を低減できるため、圧縮機駆動装置の低コスト化や回路構成が確実に小型化することができる。
【００２９】
【発明の効果】
以上説明したように本発明にあっては、圧縮機を搭載した空気調和機と冷凍サイクル装置（例えば、冷蔵庫）および給湯機の電気回路および圧縮機駆動装置における漏れ電流キャンセラ回路において、圧縮機の各相巻線と大地アース間に生ずる浮遊容量成分によって流れる漏れ電流成分を、前記圧縮機駆動装置１と圧縮機回転数検出手段２と圧縮機３、漏れ低減の駆動手段５で構成された漏れ電流キャンセラ回路９のおいて、漏れ増減のレベルを判別するゼロ電圧の位相検出手段６と予め測定した漏れの基準絶対量７から圧縮機駆動の制御手段８を介して、圧縮機駆動のタイミングに合わせた信号を与えてＰＷＭ制御することで、漏れ低減の駆動手段（ＮＰＮ，ＰＮＰトランジスタ）を高周波スイッチングによる打ち消し電流のバラツキ低減と熱損失から補償回路を設けること無く簡易化され、圧縮機を搭載した空気調和機と冷凍サイクル装置（例えば、冷蔵庫）および給湯機を高い圧縮機の能力および如何なる圧縮機駆動制御で運転しても、アース流入の漏れ電流を低減する効果がある。
【００３０】
従来の漏れ低減技術では高周波漏れ電流を低減させるために、Ａ級プッシュプル回路構成を備えることで、アース流入の低減を図っていたが、高周波成分をトランジスタ（ＮＰＮ，ＰＮＰ）によって、高周波スイッチングさせるとスイッチのＯＮ／ＯＦＦによる打ち消し電流のバラツキと熱損失が大きくなるという不具合が生じるため、そのために効果的に電流を抑制させ、損失を低減させる補償回路が別途必要とされなければ、確実に漏れ電流を低減させることが困難とされ、また圧縮機の性能に応じて、交流電源側に大きなラインフィルタを設けて低減効果を得てきたが、設置スペースやコスト上昇等の問題を有していたが、上記の問題点を解決し、本発明のオープンループ制御による漏れ電流キャンセラ回路を備えることで１ｍＡ以下にアース流入の漏れ電流量を確実に低減できるようになる。
【図面の簡単な説明】
【図１】本発明における第１実施の漏れ電流キャンセラ回路の構成図である。
【図２】本発明の第１実施に係る漏れ電流キャンセラ回路の漏れ低減による制御のパターン図である。
【図３】本発明における第２実施の漏れ電流キャンセラ回路の構成図である。
【図４】本発明における第２実施の電流偏差におけるＰＷＭ制御デューティテーブルの図である。
【図５】本発明における第２実施の一例として、実回転数に対するアース流入の漏れ電流の測定結果である。
【図６】本発明における第３実施の漏れ電流キャンセラ回路の構成図である。
【図７】本発明における第３実施の回転数偏差ΔＮにおける電流偏差ΔＩ０により選定された最適ＰＷＭ制御のデューティ特性図である。
【図８】本発明における第４実施の漏れ電流キャンセラ回路の構成図である。
【符号の説明】
１…圧縮機駆動装置、２…圧縮機の回転数検出手段、３…圧縮機、４…コモンコイルによる漏れ電流の検出手段、５…漏れ低減の駆動手段、６…漏れ増減を判別するゼロ電圧の位相検出手段、７…予め測定した漏れ電流の基準絶対量、８…圧縮機駆動の制御手段、９…漏れ電流キャンセラ回路、１０…漏れ電流の条件設定手段。
【図１】
2004364344.tif 000003
【図２】
2004364344.tif 000004
【図３】
2004364344.tif 000005
【図４】
2004364344.tif 000006
【図５】
2004364344.tif 000007
【図６】
2004364344.tif 000008
【図７】
2004364344.tif 000009
【図８】
2004364344.tif 000010